(57)【要約】      （修正有）【課題】寸法変更が容易で且つ、着用が容易な着物を提供する。【解決手段】本簡易着物１は、左右の前身頃１３，１４、左右の衽１５，１６、左右の衿１７，１８、後身頃１９、左右の袖１１，１２を備えた着物本体１０と、前記着物本体１０の着用者１００の腰部周りの位置において前記左右の前身頃１３，１４と前記左右の衽１５，１６と前記後身頃１９の布地が所定幅重ね合わせられて形成されたおはしょり２１とを備え、該おはしょり２１が、重ね合わせた布地の基部を粗い目で縫合することにより形成され、左右の衿１７，１８の内側面には、該左右の衿１７，１８を幅方向に折り畳んだ状態を保持するための複数組のスナップが取り付けられていることを特徴とする。【選択図】図１
0003162252.tif 000002
【実用新案登録請求の範囲】
【請求項１】
左右の前身頃、左右の衽、左右の衿、後身頃、左右の袖を備えた着物本体と、
前記着物本体の着用者の腰部周りの位置において前記左右の前身頃と前記左右の衽と前記後身頃の布地を所定幅重ね合わせて、当該重ね合わせた布地の基部を粗い目で縫合することにより形成されたおはしょりと、
前記左右の衿の内側面に取り付けられ、該左右の衿を幅方向に折り畳んだ状態を保持するための複数組のスナップと
を備えることを特徴とする着物。
【請求項２】
前記左右の衿に取り外し可能に取り付けられる一対の腰紐を備えることを特徴とする請求項１に記載の着物。
【考案の詳細な説明】
【技術分野】
【０００１】
本考案は、誰でも簡単に着用することができる着物に関する。
【背景技術】
【０００２】
従来、着物を着るときは、両袖に両手を通し、左右の前身頃を重ね合わせた後、着用者の裾丈に合わせて腰付近の布地を持ち上げ、着用者のウエストの位置に腰紐を周回させて結ぶ。そして、持ち上げた部分を腰紐の上にかぶせるように下方に折り曲げておはしょりを形成する。この際、襟元の形を整えたり、裾の位置を確認しながらおはしょりを形成する。その後、おはしょりの上に伊達締めを巻き、更に伊達締めの上に帯を締め結ぶ。
【０００３】
ところが、腰紐１本で適切な位置に適切な幅のおはしょりを形成することは難しく、時間がかかる。また、腰紐の締め付けが十分でないと、着用後に腰紐が緩んでおはしょりの折り曲げ幅が変化し、裾が乱れたり襟元の形が崩れるといった着崩れが起き易い。
【０００４】
そこで、おはしょりを出来上がりの形に予め縫うことで、簡単に着用でき、しかも着崩れし難くくした着物が提案されている（特許文献１参照）。従来、このようなおはしょりは、ミシンを使って着物の前身頃や後身頃等の布地をミシンで縫合することにより形成される。
【先行技術文献】
【特許文献】
【０００５】
【特許文献１】実登3072145号公報
【考案の概要】
【考案が解決しようとする課題】
【０００６】
ところが、ミシンを使って布地を縫合すると、寸法変更のために縫目を解いておはしょりを作り直す作業が面倒であった。また、縫目を解いた跡が残り、作り直した着物の見栄えが悪いという問題があった。
【０００７】
本考案が解決しようとする課題は、寸法変更が容易で且つ、着用が容易な着物を提供することである。
【課題を解決するための手段】
【０００８】
上記課題を解決するために成された本考案に係る着物は、
左右の前身頃、左右の衽、左右の衿、後身頃、左右の袖を備えた着物本体と、
前記着物本体の着用者の腰部周りの位置において前記左右の前身頃と前記左右の衽と前記後身頃の布地が所定幅重ね合わせられて形成されたおはしょりと
を備え、
前記おはしょりが、重ね合わせた布地の基部を粗い目で縫合することで形成され、
前記左右の衿の内側面には、該左右の衿を幅方向に折り畳んだ状態を保持するための複数組のスナップが取り付けられていることを特徴とする。
ここで、粗い目とは5mm以上の縫い目をいう。また、「粗い目で縫合する」方法としては手縫いが好適であるが、縫い目幅を大きく設定することができればミシンを用いても良い。
また、前記おはしょりは、前身頃、衽、後身頃の全体を縫合してもよいが、後で解くときの容易さを考慮すると、部分的に縫合しても良い。
【０００９】
また、本考案に係る着物は、更に、前記左右の衿に取り外し可能に取り付けられる一対の腰紐を備えていても良い。
【考案の効果】
【００１０】
本考案に係る着物では、前身頃や後身頃等の布地を重ね合わせた基部を粗い目で縫合することによりおはしょりを形成したため、寸法変更のためにおはしょりを作り直す際に縫目を容易に解くことができ、しかも、解いた縫目の跡が残ることがない。さらに、左右の衿の内側面に複数組のスナップを取り付けたため、襟元の形を整え易い。
【００１１】
さらに、着脱可能な一対の腰紐を備えると、適宜の位置に腰紐を取り付けることができ、しかも、腰紐を結ぶときに腰紐の位置がずれることがないため、容易に着用できる。
【図面の簡単な説明】
【００１２】
【図１】本発明の一実施の形態に係る簡易着物を着用した着用者の正面図（ａ）及び背面図（ｂ）。
【図２】おはしょり部分の拡大図。
【図３】衿付近の拡大図であり、（ａ）は衿を広げた状態、（ｂ）は衿を幅方向に折り曲げてスナップを留めた状態を示す。
【考案を実施するための形態】
【００１３】
以下、本考案の実施の形態を図面を参照して説明する。
図１は本実施の形態に係る着物を着用した状態を示しており、（ａ）は正面図、（ｂ）は背面図を示す。着物１は、着物本体１０と、この着物本体１０に着脱可能に取り付けられた腰紐３０とを有する。着物本体１０は表地と裏地から成り、左右の袖１１，１２、左右の前身頃１３，１４、左右の衽（おくみ）１５，１６、左右の衿１７，１８、後身頃１９等から構成されている。着物本体１０の着用者１００の腰部周りの位置には、左右の前身頃１３，１４、左右の衽１５，１６、後身頃１９の布地を所定幅つまんで重ね合わすことでおはしょり２１が形成されている。また、左右の衿１７，１８の下端部には腰紐３０が着脱可能に取り付けられている。
【００１４】
図２はおはしょり２１付近を拡大して示す縦断面図である。図２に示すように、おはしょりは、左右の前身頃１３，１４と左右の衽１５，１６と後身頃１９の布地を所定幅重ね合わせた部分の基部を手縫いで縫合することにより形成されている。図２中、符号Ａで示す実線は縫い目を表している。おはしょり２１を形成するために前身頃１３，１４等をつまむ幅は、着用者が着物１を着用した状態で前記腰紐３０を用いて仮のおはしょりを形成し、衿の形を整えたり、裾の高さを確認したりしてから、おはしょりの下端から裾までの長さ、衿下、前身、脇、背の高さを採寸した後、決定する。これにより、着用者１００毎に適切な位置に適切なサイズのおはしょり２１を形成することができる。
【００１５】
図３は、着物１の左右の衿１７，１８の部分を拡大して示す図であり、（ａ）は衿１７，１８を広げた状態、衿１７，１８を折り曲げた状態を示す。図３に示すように、衿１７，１８を内側には複数組のスナップ３１が縫いつけられている。一組のスナップ３１は雌部（凹部）と雄部（凸部）から成り、雌部と雄部を互いに嵌合させることにより連結される。従って、左右の衿１７，１８を幅方向に半分に折り曲げ、各組のスナップ３１を留めることで衿１７，１８が折り曲げられた状態が保持される。
【００１６】
このように本実施の形態に係る簡易着物は、予めおはしょり２１を形成したため初心者でも簡単に着付けることができる。また、着物本体１０の布地を手縫いで縫合しておはしょり２１を形成したため、寸法変更等のために縫目を解いておはしょり２１作り直す作業が容易になり、解いた縫目の跡が残ることもない。さらに、左右の衿１７，１８にスナップ３１を取り付け、衿１７，１８を幅方向に折り曲げた状態が保持されるようにしたため、着物１を着用したときの衿の形を容易に整えることができる。
また、前記着物１は着脱可能な腰紐３０を備えるため、適切な位置に腰紐３０を取り付けることにより、簡単に着用することができる。
【符号の説明】
【００１７】
１…簡易着物
１０…着物本体
１１…左袖
１２…右袖
１３…左前身頃
１４…右前身頃
１５…左衽
１６…右衽
１７…左衿
１８…右衿
１９…後身頃
２１…おはしょり
３０…腰紐
３１…スナップ
１００…着用者
【図１】
0003162252.tif 000003
【図２】
0003162252.tif 000004
【図３】
0003162252.tif 000005